(57)【要約】【課題】  スラブ形成領域の様々な間隔に応じてデッキプレートの長さを調節することができ、スラブ施工時にデッキプレートをはめ殺しすることなく、再利用および転用することができるスライド式デッキプレートを提供する。【解決手段】  仮設床面となる上面を備えた金属板製の第１のデッキプレート１ａと、仮設床面となる上面を備えた金属板製の第２のデッキプレート１１ａとを有し、前記両デッキプレートは、連結長調節機構８によって連結長を調節自在に連結する。デッキプレート本体２，１２の裏面にはスライドホルダ５，１５が固定され、連結長調節機構部で互いにスライド可能に嵌合し、反対側端部は圧潰されて支持部材係止面２２となっている。【選択図】  図１
2006138146.tif 000002
【特許請求の範囲】
【請求項１】
仮設床面となる上面を備えた金属板製の第１のデッキプレートと、仮設床面となる上面を備えた金属板製の第２のデッキプレートとを有し、前記両デッキプレートは、仮設床面となるフラットな上面を形成するプレート本体と、このプレート本体の下面に固定されるとともに両デッキプレートの連結方向に長い少なくとも１本のスライドホルダをそれぞれ有しており、連結長調節機構によって連結長を調節自在に連結されてなり、該連結長調節機構は、前記両デッキプレートの前記プレート本体およびスライドホルダを互いに雄雌状にして連結するように形成され、該スライドホルダの連結部と反対側端部は圧潰されて受部材係合面となっていることを特徴とするスライド式デッキプレート。
【請求項２】
前記連結長調節機構によって調節自在に連結されたスライドホルダは、前記デッキプレートへの固定側となる上部が開口した断面４角形筒状部材で形成され、一方のスライドホルダは開口端部が内側に屈曲して前記デッキプレートへの固着部を形成し、他方のスライドホルダの開口端部が外側に屈曲して前記デッキプレートへの固着部を形成し、前記連結部で前記スライドホルダ両端部がスライド可能に嵌合していることを特徴とする請求項１に記載のスライド式デッキプレート。
【請求項３】
前記スライドホルダは、前記受部材係合面に至る端部が補強部材により補強されていることを特徴とする請求項１又は２に記載のスライド式デッキプレート。
【請求項４】
前記補強部材は、前記スライドホルダに嵌合する上部が開口した断面４角形金属部材であることを特徴とする請求項３に記載のスライド式デッキプレート。
【請求項５】
前記スライドホルダのうち開口端部が内側に屈曲しているスライドホルダは、前記連結部では内側屈曲端部間を連結する補強板で補強されていることを特徴とする請求項２〜４何れかに記載のスライド式デッキプレート。
【請求項６】
前記両デッキプレートのプレート本体は、連結方向と直交する両端部に隣位するデッキプレートと重畳して連結される重畳連結部を有していることを特徴とする請求項１〜４のいずれか１項に記載のスライド式デッキプレート。
【請求項７】
前記各デッキプレートの上面に、連結方向に直交する方向に延在して突出したリブを、連結方向および連結方向に直交する方向に整列して複数形成したことを特徴とする請求項１〜６のいずれか１項に記載のスライド式デッキプレート。
【発明の詳細な説明】
【技術分野】
【０００１】
本発明は、スラブ施工時に仮設床材として敷設されるデッキプレートに係り、特に、２つのデッキプレートを長さ方向に重畳し、連結長調節機構によって連結長を調節可能とし、様々な幅の仮設床材として使用することのできるスライド式デッキプレートに関する。
【背景技術】
【０００２】
従来、複数階を有する建物の各上階のスラブ施工法の一例として、形成された下階のスラブ上に垂直および水平に組まれた複数の支保工（サポート）を配置し、この支保工上に梁型枠を形成することが行われている。そして、対向して形成された梁型枠間に、配置された支保工上にバタ角と呼ばれる枕木を載置して仮設支持装置を構成し、この枕木上に複数のデッキプレートを両側端が前記梁型枠内に突出するように載置して、対向する梁型枠間に整列配置してスラブ型床面を形成する。そして、各梁型枠内およびデッキプレート上にコンクリートを打設し、梁およびスラブが形成される。
【０００３】
また、デッキプレートを用いたスラブ工法に対して、鉄骨構造建築において伸縮可能な仮設型枠を用いて行なうスラブ工法も提案されている（特許文献１参照）。
【特許文献１】特開２００２−３０３０４１号公報
【発明の開示】
【発明が解決しようとする課題】
【０００４】
前述のような従来のデッキプレートによるスラブ施工法は、対向して形成された梁型枠上に、各デッキプレートの両側端を梁型枠内に突出させて支持していたため、コンクリート打設後、各梁の断面に欠損が生じてしまうという問題があった。また、デッキプレートがはめ殺しとなるため、デッキプレートを再利用することができずコストがかかり、さらに、デッキプレートが金属製であるため、結露が生じてしまい、結露を防止するために石綿等を塗布する工事が必要となり、工事が煩雑化してしまうという問題があった。また、形成された各梁型枠の間隔に応じて様々な長さのデッキプレートを形成して使用しなくてはならなかった。前記特許文献１に記載のものは、このような問題を解決するために、デッキプレートによらずに仮設型枠によるスラブ工法を提供しているが、型枠の支持構造が複雑であり、且つ梁がフランジを有する鉄骨構造建築にしか適用できない問題点がある。
【０００５】
このような問題点を解決するために、本発明者らは、先に２つの金属板からなるデッキプレートをスライド可能に連結して、連結長を調節可能にして、はめ殺しでなく繰り返し仮設床材として使用できるスライド式デッキプレート及びそれを使用したスラブ工法を提案している（特願２００３−１９４９２０号参照）。該提案のスライド式デッキプレートは、上記問題点を解決できたものであったが、デッキプレートの下面に設けられたスライドホルダの梁型枠側端部が受部材に係合したときスライドホルダに変形が起きる場合があり、且つ連結長調節機構部では２つのスライドホルダをスライド可能に嵌合するため、一方のスライドホルダはスライド部をデッキプレートに固定することができず、その部分の強度がそれだけ他の部分に比べて劣るという問題点が見出された。
【０００６】
そこで本発明は、前記提案したスライド式デッキプレートをさらに改良しようとするものであり、スラブ形成領域の様々な間隔に応じてデッキプレートの長さを調節することができ、スラブ施工時にデッキプレートをはめ殺しすることなく、再利用および転用することができ、さらに、デッキプレートのはめ殺しにより生じる結露を防止することができ、かつ前記提案したスライド式デッキプレートにおけるスライドホルダの上記問題点が生じないように改良したスライド式デッキプレートを提供することを目的とする。
【課題を解決するための手段】
【０００７】
前記目的を達成するための本発明に係るスライド式デッキプレートは、仮設床面となる上面を備えた金属板製の第１のデッキプレートと、仮設床面となる上面を備えた金属板製の第２のデッキプレートとを有し、前記両デッキプレートは、仮設床面となるフラットな上面を形成するプレート本体と、このプレート本体の下面に固定されるとともに両デッキプレートの連結方向に長い少なくとも１本のスライドホルダをそれぞれ有しており、連結長調節機構によって連結長を調節自在に連結されてなり、該連結長調節機構は、前記両デッキプレートの前記プレート本体およびスライドホルダを互いに雄雌状にして連結するように形成され、該スライドホルダの連結部と反対側端部は押し潰されて受部材係合面となっていることを特徴とするものである。
【０００８】
このような構成を採用したことにより、スラブを形成すべきスラブ形成領域の大きさ、具体的には形成された対向する梁と梁の様々な間隔に応じて連結長さを調節することができ、且つ両デッキプレートの連結を強固にすることができ、コンクリート打設時に、コンクリートの重量により両デッキプレートが連結部から歪むことを防止することができる。そして、スライドホルダの連結部と反対側の端部は押し潰されて受部材係合面となっているので、梁型枠に隣接して支保工で支持できない端部を型枠に設けた受部材に支持させることができ、安定して型枠を支持させることができる。
【０００９】
また、本発明に係るスライド式デッキプレートにおける他の特徴点は、前記連結長調節機構によって調節自在に連結されたスライドホルダは、前記デッキプレートへの固定側となる上部が開口した断面４角形筒状部材で形成され、一方のスライドホルダは開口端部が内側に屈曲して前記デッキプレートへの固着部を形成し、他方のスライドホルダの開口端部が外側に屈曲して前記デッキプレートへの固着部を形成し、前記連結部で前記スライドホルダ両端部がスライド可能に嵌合していることである。このような構成を採用したことにより、複数のスライド式デッキプレートを整列配置する際、各スライド式デッキプレートの位置合わせおよび連結を容易に行なうことができると共に、デッキプレート本体へのスライドホルダの固定も容易である。
【００１０】
また、本発明に係るスライド式デッキプレートの他の特徴は、スライドホルダは、前記受部材係合面に至る端部が補強部材により補強されていることである。このような構成を採用したことにより、スライドホルダの受部材係合面との境部の変形が阻止され、支持強度が向上する。前記補強部材として、スライドホルダに嵌合する上部が開口した断面４角形筒状金属部材を採用し、断面４角形筒状部材の端部に嵌合して、受部材係合面形成時に同時に圧潰することによって、容易に補強できる。
【００１１】
さらに、本発明に係るスライド式デッキプレートの他の特徴は、前記スライドホルダのうち開口端部が内側に屈曲しているスライドホルダは、前記連結部では内側屈曲端部間を連結する補強板で補強されていることである。このような構成を採用したことにより、連結部におけるデッキプレート本体に固着してない部分のスライドホルダが補強され、耐荷重性が向上する。
【００１２】
また、本発明に係るスライド式デッキプレートの他の特徴は、前記両デッキプレートのプレート本体は、連結方向と直交する両端部に隣位するデッキプレートと重畳して連結される重畳連結部を有していることである。このような構成を採用したことにより、複数のスライド式デッキプレートを整列配置する際、各スライドデッキプレートの位置合わせ及び連結を容易に行なうことができる。
【００１３】
また、本発明に係るスライド式デッキプレートの他の特徴は、前記各デッキプレートの上面に、連結方向に直交する方向に延在して突出したリブを、連結方向および連結方向に直交する方向に整列して複数形成したことにある。このような構成を採用したことにより、各デッキプレートの連結方向と直交する方向の強度を向上させることができるとともに、各デッキプレート上において作業者が作業を行なう際に、滑り止めとしての効果を奏することができる。
【発明の効果】
【００１４】
本発明のスライドデッキプレートによれば、スラブ形成領域の様々な間隔に応じてデッキプレートの長さを調節することができ、スラブ施工時にデッキプレートをはめ殺しすることなく、再利用および転用することができ、且つデッキプレートのはめ殺しにより生じる結露を防止することができる。そして、長さ調節機構が簡単な構造であり、対向する梁と梁の様々な間隔に応じて連結長さを簡単に調節して仮設床面を構成することができ、且つ両デッキプレートの連結を強固にすることができ、コンクリート打設時に、コンクリートの重量により両デッキプレートが連結部から歪むことを防止することができる。そして、スライドホルダの連結部と反対側端部は押し潰されて受部材係合面となっているので、梁型枠に隣接して支保工で支持できない端部を型枠に設けた受部材に支持させることができ、安定して型枠を支持させることができる。
【発明を実施するための最良の形態】
【００１５】
以下、図面を用いて本発明に係るスライド式デッキプレートおよびこのスライド式デッキプレートによるスラブ施工方法の実施形態について説明する。
【００１６】
図１〜図６は、本発明に係るスライド式デッキプレートの一実施形態を示し、図７は該スライド式デッキプレートを使用したスラブ施工状態を示している。
本実施形態におけるスライド式デッキプレート１は、図１および図２に示すように、第１のデッキプレート１ａと第２のデッキプレート１１ａが連結長調節機構８をもって連結長を調節自在にして連結されて構成されている。
【００１７】
前記第１のデッキプレート１ａは、図２（ａ）に断面を示すように、スチール等の鋼板製のデッキプレート本体２を有しており、その上面２ａが略長方形状であって、連結方向と直交する方向の両側端が両端のスライドホルダより外側の長さが左右で異なるようにする。また、両端部は下方に折曲されて側面を形成してもよい。両端部を下方に折曲させた場合、例えば図３に示すように、下方に折曲された側面２ｂ、２ｃのうち一方の側面２ｂの下端には、前記デッキプレート本体２の内側に凹状に折曲した折曲部３を形成し、他方の側面２ｃの下端には、前記デッキプレート本体２の外側に凹状に折曲した折曲部４を形成する。その場合、屈曲した側面２ｂ、２ｃは支持側端部２ｅには設けられてなく、デッキプレート１ａがスラブ施工時に梁型枠３２の側面に設けられた支持部材３４（図７）の上面に後述するようにスライドホルダ５を介して支持できるようにする。
【００１８】
前記デッキプレート本体２の底面２ｄには、３本の断面四角形状の筒状のスライドホルダ５が連結方向に延在して配設されている。該スライドホルダ５は、連結長調節機構８によって連結調節する長さ以外の部分においては、図６（ｄ）に示すように、デッキプレート本体２の底面２ｄに内側折曲部５ａ，５ａを溶接等により固着され、連結長調節機構部では、図６（ｃ）に示すように、底面２ｄから離脱されている。この離脱部１６（図６（ａ）参照）に、後述する第２のデッキプレート１１ａのデッキプレート本体１２が挿入され、前記各スライドホルダ５を、後述する第２のデッキプレート１１ａの各スライドホルダ１５に挿入することにより連結長調節機構８が形成される。
【００１９】
図５はスライドホルダ５の支持部材係止側端部の説明図であり、（ａ）は図１におけるＤ−Ｄ矢視図、（ｂ）はスライドホルダの支持部材係止側端部の圧潰前の状態を示す正面図、（ｃ）はその右側面の拡大図である。そして、（ｄ）は（ｂ）の状態から矢印方向に圧潰後の状態を示し、（ｅ）はその右側面を拡大した状態で示している。
スライドホルダ５の支持部材係止側端部は、図５に拡大して示すように、高さ方向に圧潰されて支持部材係止面１７となっている。圧潰は、矩形状のスライドホルダの両側の垂直壁が中央から内側に屈曲することによって、圧潰部が図示のように三重壁構造となり剛性を増すようにしている。それにより、図５（ｄ）に示すように、スラブ施工時に梁型枠に設けられた受部材３４の上面に係止し、コンクリート打設時に端部側にかかるコンクリートの荷重を支えている。しかしながら、その場合圧潰屈曲部１８に応力集中が起りその部分が変形し易くなる。そこで本実施形態では、その部を補強部材で補強してある。補強部材２０は、スライドホルダ５の内部に嵌合できる金属板で成形された断面４コ字状の金属部材からなり、支持部材係止端１９から内側に少なくとも圧潰屈曲部１８を超える位置まで延在する長さを有している。そのような補強部材２０を、図５（ｂ）に示すようにスライドホルダ５の端部に嵌合し、その状態で同図（ｄ）に示すように圧潰して、支持部材係止面１７を形成する。したがって、支持部材係止面から圧潰屈曲部１８を超える部分までは２重壁に補強され、圧潰屈曲部１８から変形することを効果的に防ぐことができる。圧潰屈曲部の補強は、必ずしもこのような構成に限定されるものではないが、このように断面４コ字状の金属部材を採用することによって、図５（ｂ）〜（ｄ）に示すように、端部の圧潰工程と補強工程が同時にできるので、補強が簡単にできる利点がある。
【００２０】
一方、スライドホルダ５の連結長調節機構側端部は、前述したように図６に示す如く、デッキプレート本体２と固定されてなく、離脱部１６となっている。そのため、該スライドホルダ５は連結長調節機構部において他の部分と比べて強度が低下する傾向にある。それを防ぐために本実施形態では、この部分の補強を行っている。補強は、離脱部１６の範囲にわたってスライドホルダ５のデッキプレート本体２への溶着部となっている内側折曲部５ａ、５ａ間に、図６（ｃ）に示すように平板状の補強板２１を内側から溶着してある。それにより、内側折曲部５ａ、５ａ間が連結されて断面四角形の閉ループとなり荷重に対する強度が向上する。このように補強することによって、連結長調節機構の嵌合調節に影響を与えることなく、容易に補強できる。
【００２１】
前記第２のデッキプレート１１ａは、前記第１のデッキプレート１ａと同様の材料から形成されており、上面１２ａが略長方形状のデッキプレート本体１２を有しており、連結方向と直交する方向の両側端が図２（ｂ）に示すように両端のスライドホルダより外側の長さが左右で異なるようにする。それにより、図２（ｃ）に示すように、デッキプレート本体の両端部の長い方が短い方より上になるように重ねることによって、図においてスラブ床面の大きさに応じてデッキプレートを幅方向にスライドホルダの間隔が略等間隔となるように容易に連設することができる。
【００２２】
なお、デッキプレート本体１２の両端部は、デッキプレート本体２と同様に下方に折曲して側面を形成しても良い。その場合、例えば図３（ｂ）に示すように、デッキプレート２と同様に下方に折曲された側面１２ｃの折曲部１４は、他方の側面１２ｂより大きく形成する。そして、図３（ｃ）に示すように、デッキプレート本体１２の折曲部１４は、デッキプレート本体２の折曲部４よりも大きくちょうど内側に収容できる大きさに形成し、デッキプレート本体１２の折曲部１３は、デッキプレート本体２の折曲部３よりも小さく、ちょうど内側に収納される大きさに形成すると良い。その場合、屈曲した側面１２ｂ、１２ｃは、第１のデッキプレートと同様に、支持側端部１２ｅには設けない。
【００２３】
前記デッキプレート本体１２の底面１２ｄには、３本の断面視四角形状の筒状のスライドホルダ１５が連結方向に延在して、図６（ｂ）に示すように、外側折曲部１５ａ，１５ａが溶接等により固着されている。スライドホルダ１５は、このようにデッキプレート本体への溶着部となる部分を外側に屈曲して形成し、スライドホルダ５は内側に屈曲して形成したので、後述するようにスライドホルダ１５にスライドホルダ５の内側嵌合を可能にしている。スライドホルダ１５の支持部材形側端部は、スライドホルダ５と同様に、断面４角形筒状金属部材からなる補強部材で補強してから圧潰して支持部材係止面２２を形成している。
【００２４】
また、図２（ｃ）及び図６（ｅ）に示すように、デッキプレート本体１２の底面１２ｄに固着された各スライドホルダ１５の筒状の大きさは、少なくとも連結長調節機構の範囲内ではデッキプレート本体２の底面２ｄに配設された各スライドホルダ５が丁度内側に嵌合できる大きさに形成されている。さらに、デッキプレート本体２の上面２ａおよびデッキプレート本体１２の上面１２ａには、図４に示すように、幅方向（連結方向と直交する方向）に延在して上方に２ｍｍ程度突出したリブ６が幅方向および連結方向に整列して形成されている。
【００２５】
以上のような構成からなる第１のデッキプレート１ａと第２のデッキプレート１１ａにおいて、図２（ｃ）に示すように、前記デッキプレート本体１２を、前記デッキプレート本体２の底面２ｄの各スライドホルダ５が離脱している離脱部１６（図６）から挿入するようにして、連結長調節機構８を用いて雌雄状にして両者を連結する。この時、同時に、図２（ｃ）に破線で示すようにデッキプレート本体２の端部の短い方の上側にデッキプレート本体１２の端部の長い方の下側を重畳し、デッキプレート本体２の端部の長い方の下側にデッキプレート本体１２の端部の短い方を重畳し、さらに、デッキプレート本体２の底面２ｄに配設された各スライドホルダ５を、デッキプレート本体１２の底面１２ｄに配設された各スライドホルダ１５内に挿入してスライド式デッキプレート１が完成される。
【００２６】
こうして形成された本実施形態のスライド式デッキプレート１は、デッキプレート本体２の底面２ｄに配設された各スライドホルダ５の離脱部１６の連結方向長さの範囲で、連結長調節機構８によってデッキプレート本体１２をスライド可能とし、建設現場において、様々な間隔で対向する梁の間に設置することができ、広い範囲で転用が可能となる。また、建設現場において、前記スライド式デッキプレート１を連結方向と直交する方向（本実施形態において幅方向）に複数整列配置する際には、図２（ｃ）に示すように、隣位するスライド式デッキプレート１の幅方向両端部を互いに重畳させて、簡単に配置することができる。また，両端部を折曲げて、折曲げ形成されている側面と折曲部からなる重畳連結部を互いに重畳させることにより、各スライド式デッキプレート１を隙間を空けないようにして簡単に配置することもできる。
【００２７】
また、前記スライドホルダ５，１５は、面でデッキプレート本体２，１２を支持しているため、コンクリートがその上に載ってもデッキプレート本体２，１２が変形することを防止することができる。
【００２８】
さらに、各デッキプレート本体２，１２の上面２ａ，１２ａに複数形成されたリブ６により、各デッキプレート本体２，１２の幅方向の強度を向上させることができるとともに、各デッキプレート本体２，１２上において作業者が作業を行なう際に、滑り止めとしての効果を奏することができる。
【００２９】
つぎに、前記スライド式デッキプレート１を使用した本発明のスラブ施工方法について説明する。
本発明のスラブ施工方法は、図７に示すように、既に形成された下階のスラブ３０上に垂直および水平に組まれた支保工３１を配設し、この支保工３１上に、従来公知の梁型枠３２を形成する。そして、対向して形成された梁型枠３２間の支保工３１上に枕木３３を載置して、この枕木３３上に前記スライド式デッキプレート１を、両側端が前記梁型枠３２上に、前記梁型枠３２内に突出しないようにスライド式デッキプレート１の２つのデッキプレート本体２，１２を連結長調節機構８をもってスライドさせて長さを調節して載置する。その場合、端部は梁型枠３２の側部に固定された角材からなる受部材３４の上面に、スライドホルダ５，１５の支持部材係止面１７，２２を載置して設置する。そして、前記スライド式デッキプレート１を幅方向に複数整列させて配置する場合には、各スライド式デッキプレート１の重畳連結部を重ねて配置する。また、端部に折曲部を作り折曲部を重畳させ、各スライド式デッキプレート１の底面に支保工３１および枕木３３を配置しても良い。
【００３０】
つぎに、複数のスライド式デッキプレート１が整列配置されて形成された仮設床面３５上に、鉄筋からなるスラブ型枠（図示せず）を形成した後、コンクリート３６を打設する。
【００３１】
そして、流入されたコンクリート３６が固化した後、前記梁型枠３２および前記仮設床面３５を形成している複数のスライド式デッキプレート１を取外し、梁３７およびスラブ３８が完成する。
【００３２】
以上説明したように、本発明のスラブ施工方法によれば、スライド式デッキプレート１の２つのデッキプレート２，１２のスライド機能によりスラブ形成領域となる梁型枠３２，３２の様々な間隔に対応することができる。さらに、支保工３１および枕木３３により下方からスライド式デッキプレート１を支持し、梁型枠３２内にスライド式デッキプレート１の端部を突出させることなく仮設床面３５を形成するので、スライド式デッキプレート１をはめ殺しにすることもなく、かつ、コンクリート３６の打設後、梁３７の断面に欠損が生じることがない。また、支保工で支え難いデッキプレート１の梁側端部は、本発明では梁型枠に固定した受部材に、スライドホルダ端部を圧潰して形成した支持部材係止面を介して支持させ、且つ該支持部材係止面の圧潰屈曲部を補強してあるので、強度を低下させることなく簡単に支持させることができる。また、連結長調節機構においてもスライドホルダ５の離脱部１６となる部分は補強されているので、スライド構造にすることの強度低下を効果的に防いでいる。
【００３３】
また、スラブ３８の形成時にスライド式デッキプレート１をはめ殺しにしないため、梁３７およびスラブ３８形成後に結露が生じることを防止することができ、さらに、スライド式デッキプレート１を再利用することが可能である。また、スライド機能によりスライド式デッキプレート１を様々な長さに調節することが可能であるため、様々なものに転用することができる。
【００３４】
なお、本発明は、前述した実施形態に限定されるものではなく、必要に応じて種々の変更が可能である。例えば、本実施形態において両デッキプレート本体２，１２の上面２ａ，１２ａは略長方形状であるが、これに限定されるものではなく、正方形状等任意の形状であってもよい。また、本実施形態において、両デッキプレート本体２，１２の底面２ｄ，１２ｄに配設された各スライドホルダ５，１５の断面形状は四角形状であるが、三角形状等任意の形状であってもよい。さらに、本実施形態においては、両デッキプレート本体２，１２の幅方向への連接は、単に端部を重畳することによって容易にでき且つデッキプレートの構造を単純化できるようにしたが、両端部に外側に折曲した折曲部を形成して、折曲部同士を嵌合重畳して連接するようにしてもよい。このとき、各折曲部は、両デッキプレート本体２，１２を重畳し、複数のスライド式デッキプレート１を整列して配置した際に、他のスライド式デッキプレート１の側面２ｂ，１２ｂが内側に収納できる大きさに形成されていることが好ましい。また、各デッキプレート本体２，１２の折曲部を外側に折曲した折曲部のみ形成するとともに、この折曲部を凹形状ではなくレ字状に形成してもよい。このとき、複数のスライド式デッキプレート１を整列して配置した際に、他のスライド式デッキプレート１の側面が内側に収納できるように、側面を短く形成することが好ましい。
【産業上の利用可能性】
【００３５】
以上説明したように本発明のスライド式デッキプレートによれば、スラブ形成領域の様々な間隔に応じてデッキプレートの長さを調節することができ、コンクリートスラブのデッキプレートとしてばかりでなく、様々な用途のプレートに転用が可能である。
【図面の簡単な説明】
【００３６】
【図１】本発明に係るスライド式デッキプレートの概略正面図である。
【図２】図１の断面図であり、（ａ）はＡ−Ａ断面図、（ｂ）はＢ−Ｂ断面図、（ｃ）はＣ−Ｃ断面図である。
【図３】本発明に係るスライド式デッキプレートにおいて両端部に折曲部を設けた他の実施形態の図２相当図である。
【図４】図１の概略平面図である。
【図５】本発明の実施形態に係るスライド式デッキプレートのスライドホルダの支持部材係止側端部の構成及び形成方法の説明図であり、（ａ）は図１のＤ−Ｄ矢視図、（ｂ）はスライドホルダの支持部材係止側端部の圧潰前の状態を示す正面図、（ｃ）はその右側面拡大図、（ｄ）は圧潰後の（ｂ）対応図、（ｅ）はその右側面拡大図である。
【図６】その連結長調節機構を示す拡大説明図であり、（ａ）はスライドホルダ５、１５が嵌合前の状態を示す側面図、（ｂ）はそのＥ−Ｅ断面図、（ｃ）はＦ−Ｆ断面図、（ｄ）はＧ−Ｇ断面図、（ｅ）は嵌合した状態の連結長調節機構部の正面図である。
【図７】本発明に係るスライド式デッキプレートによるスラブ施工方法の実施形態を示す縦断面図である。
【符号の説明】
【００３７】
１  スライド式デッキプレート
２  デッキプレート本体
３、４  折曲部
５  スライドホルダ
６  リブ
８  連結長調節機構
１２  デッキプレート本体
１５  スライドホルダ
１６  離脱部
１７  支持部材係止面
１８  圧潰屈曲部
２０  補強部材
２１  補強板
２２  支持部材係止面
３０  スラブ
３１  支保工
３２  梁型枠
３３  枕木
３４  受部材
３５  仮設床面
３６  コンクリート
３７  梁
３８  スラブ
【図１】
2006138146.tif 000003
【図２】
2006138146.tif 000004
【図３】
2006138146.tif 000005
【図４】
2006138146.tif 000006
【図５】
2006138146.tif 000007
【図６】
2006138146.tif 000008
【図７】
2006138146.tif 000009